(57)【要約】【課題】目的地周辺の多種多様な情報を検索負担なくユーザに取得させる。【解決手段】ナビゲーションシステム１０００（または、ナビゲーション装置１００）は、表示画面における地図上に移動体の現在位置を表示して移動体を目的地まで誘導するナビゲーションシステム（または、ナビゲーション装置）であって、目的地の設定入力を受け付けて目的地（例えば、「東京駅」）を設定し、目的地を示す目的地情報（例えば、施設名称である「東京駅」）と、複数のページで構成される電子ブックを記憶する電子ブック情報記憶手段（例えば、電子ブック情報記憶部１２２または電子ブック情報記憶部２２２）とを参照して、電子ブックを構成するページであって目的地情報を含むページである代表ページ（例えば、代表ページ９０１）を特定し、代表ページの一部または全部を表示する。【選択図】図９
2015152935.tif 000002
【特許請求の範囲】
【請求項１】
表示画面における地図上に移動体の現在位置を表示して前記移動体を目的地まで誘導するナビゲーション装置であって、
前記目的地の設定入力を受け付けて前記目的地を設定する目的地設定手段と、
前記目的地を示す目的地情報と、複数のページで構成される電子ブックを記憶する電子ブック情報記憶手段とを参照して、前記電子ブックを構成するページであって前記目的地情報を含むページである代表ページを特定する代表ページ特定手段と、
前記代表ページの一部または全部を表示する代表ページ表示手段とを含む
ことを特徴とするナビゲーション装置。
【請求項２】
前記代表ページ特定手段は、情報の掲載態様と当該掲載態様に応じた評価とが対応付けされた評価算出テーブルを記憶する前記評価算出テーブル記憶手段を参照して、前記目的地情報に関する情報を掲載するページの評価を算出し、算出した評価に基づいて前記代表ページを特定する
請求項１記載のナビゲーション装置。
【請求項３】
ユーザからの要求に応じて、代表ページを掲載する電子ブックを示す代表ページ掲載電子ブックを表示する代表ページ掲載電子ブック表示手段を含む
請求項１または請求項２のうち何れかに記載のナビゲーション装置。
【請求項４】
前記代表ページ掲載電子ブック表示手段は、
前記代表ページを含む前記電子ブックを示す代表ページ掲載電子ブックの閲覧要求を受け付ける閲覧要求受付手段と、
前記代表ページ掲載電子ブックの閲覧権限を有するか否かを判定する権限判定手段とを含み、
前記権限判定手段により閲覧権限を有すると判定された場合に、前記代表ページ掲載電子ブックを閲覧可能に表示し、
前記権限判定手段により閲覧権限を有さないと判定された場合に、前記代表ページ掲載電子ブックを閲覧できないように制限する
請求項３記載のナビゲーション装置。
【請求項５】
前記代表ページ特定手段は、前記電子ブック情報記憶手段を含む電子ブック管理サーバに対して前記目的地情報を提示した前記代表ページに関する代表ページ関連情報の提供要求を送信し、前記電子ブック管理サーバにて前記目的地情報と前記電子ブック情報記憶手段とを参照して特定された前記代表ページ関連情報を受信して前記代表ページを特定する
請求項１記載のナビゲーション装置。
【請求項６】
前記代表ページ表示手段は、代表ページを含む見開きページを表示する
請求項１から請求項５のうち何れかに記載のナビゲーション装置。
【請求項７】
表示画面における地図上に移動体の現在位置を表示して前記移動体を目的地まで誘導するナビゲーション装置を動作制御させるためのナビゲーションプログラムであって、
前記ナビゲーション装置に、
前記目的地の設定入力を受け付けて前記目的地を設定する目的地設定処理と、
前記目的地を示す目的地情報と、複数のページで構成される電子ブックを記憶する電子ブック情報記憶手段とを参照して、前記電子ブックを構成するページであって前記目的地情報を含むページである代表ページを特定する代表ページ特定処理と、
前記代表ページの一部または全部を表示する代表ページ表示処理とを実行させる
ことを特徴とするナビゲーションプログラム。
【請求項８】
表示画面における地図上に移動体の現在位置を表示して前記移動体を目的地まで誘導するナビゲーションシステムであって、
前記目的地の設定入力を受け付けて前記目的地を設定する目的地設定手段と、
前記目的地を示す目的地情報と、複数のページで構成される電子ブックを記憶する電子ブック情報記憶手段とを参照して、前記電子ブックを構成するページであって前記目的地情報を含むページである代表ページを特定する代表ページ特定手段と、
前記代表ページの一部または全部を表示する代表ページ表示手段とを含む
ことを特徴とするナビゲーションシステム。
【請求項９】
表示画面における地図上に移動体の現在位置を表示して前記移動体を目的地まで誘導するナビゲーション方法であって、
前記目的地の設定入力を受け付けて前記目的地を設定するステップと、
前記目的地を示す目的地情報と、複数のページで構成される電子ブックを記憶する電子ブック情報記憶手段とを参照して、前記電子ブックを構成するページであって前記目的地情報を含むページである代表ページを特定するステップと、
前記代表ページの一部または全部を表示するステップとを含む
ことを特徴とするナビゲーション方法。
【発明の詳細な説明】
【技術分野】
【０００１】
本発明は、表示画面における地図上に移動体の現在位置を表示して移動体を目的地まで誘導するナビゲーション装置、ナビゲーションプログラム、ナビゲーションシステム、およびナビゲーション方法に関するものである。
【背景技術】
【０００２】
近年、目的地を設定したときに目的地周辺の施設を検索・抽出する技術が提案されている（例えば、特許文献１）。
【０００３】
特許文献１は、現在設定されている目的地の位置を基準に所定の範囲にある施設の情報を抽出し、抽出した目的地周辺の施設をリストアップ表示する技術を開示する。
【先行技術文献】
【特許文献】
【０００４】
【特許文献１】特開２００１−３５６０２４号公報
【発明の概要】
【発明が解決しようとする課題】
【０００５】
しかしながら、上述した特許文献１に開示されているような技術においては、特定の目的（例えば、「宿泊」という目的）を検索するユーザにとっては使い勝手が良いものの、特定の目的地以外の情報を取得するためには更なる検索を必要とするため、検索負担が大きいという課題があった。すなわち、目的地周辺の多種多様な情報を検索負担なくユーザに取得させる技術が求められていた。
【課題を解決するための手段】
【０００６】
本発明に係るナビゲーション装置は、表示画面における地図上に移動体の現在位置を表示して前記移動体を目的地まで誘導するナビゲーション装置であって、前記目的地の設定入力を受け付けて前記目的地を設定する目的地設定手段と、前記目的地を示す目的地情報と、複数のページで構成される電子ブックを記憶する電子ブック情報記憶手段とを参照して、前記電子ブックを構成するページであって前記目的地情報を含むページである代表ページを特定する代表ページ特定手段と、前記代表ページの一部または全部を表示する代表ページ表示手段とを含むことを特徴とする。
【０００７】
上記の構成としたことで、目的地周辺の多種多様な情報を検索負担なくユーザに取得させることができるようになる。
【０００８】
前記代表ページ特定手段は、情報の掲載態様と当該掲載態様に応じた評価とが対応付けされた評価算出テーブルを記憶する前記評価算出テーブル記憶手段を参照して、前記目的地情報に関する情報を掲載するページの評価を算出し、算出した評価に基づいて前記代表ページを特定する構成とされていてもよい。
【０００９】
ユーザからの要求に応じて、代表ページを掲載する電子ブックを示す代表ページ掲載電子ブックを表示する代表ページ掲載電子ブック表示手段を含む構成とされていてもよい。
【００１０】
前記代表ページ掲載電子ブック表示手段は、前記代表ページを含む前記電子ブックを示す代表ページ掲載電子ブックの閲覧要求を受け付ける閲覧要求受付手段と、前記代表ページ掲載電子ブックの閲覧権限を有するか否かを判定する権限判定手段とを含み、前記権限判定手段により閲覧権限を有すると判定された場合に、前記代表ページ掲載電子ブックを閲覧可能に表示し、前記権限判定手段により閲覧権限を有さないと判定された場合に、前記代表ページ掲載電子ブックを閲覧できないように制限する構成とされていてもよい。
【００１１】
前記代表ページ特定手段は、前記電子ブック情報記憶手段を含む電子ブック管理サーバに対して前記目的地情報を提示した前記代表ページに関する代表ページ関連情報の提供要求を送信し、前記電子ブック管理サーバにて前記目的地情報と前記電子ブック情報記憶手段とを参照して特定された前記代表ページ関連情報を受信して前記代表ページを特定する構成とされていてもよい。
【００１２】
前記代表ページ表示手段は、代表ページを含む見開きページを表示する構成とされていてもよい。
【００１３】
また、本発明のナビゲーションプログラムは、表示画面における地図上に移動体の現在位置を表示して前記移動体を目的地まで誘導するナビゲーション装置を動作制御させるためのナビゲーションプログラムであって、前記ナビゲーション装置に、前記目的地の設定入力を受け付けて前記目的地を設定する目的地設定処理と、前記目的地を示す目的地情報と、複数のページで構成される電子ブックを記憶する電子ブック情報記憶手段とを参照して、前記電子ブックを構成するページであって前記目的地情報を含むページである代表ページを特定する代表ページ特定処理と、前記代表ページの一部または全部を表示する代表ページ表示処理とを実行させるためのものである。
【００１４】
また、本発明のナビゲーションシステムは、表示画面における地図上に移動体の現在位置を表示して前記移動体を目的地まで誘導するナビゲーションシステムであって、前記目的地の設定入力を受け付けて前記目的地を設定する目的地設定手段と、前記目的地を示す目的地情報と、複数のページで構成される電子ブックを記憶する電子ブック情報記憶手段とを参照して、前記電子ブックを構成するページであって前記目的地情報を含むページである代表ページを特定する代表ページ特定手段と、前記代表ページの一部または全部を表示する代表ページ表示手段とを含むことを特徴とする。
【００１５】
また、本発明のナビゲーション方法は、表示画面における地図上に移動体の現在位置を表示して前記移動体を目的地まで誘導するナビゲーション方法であって、前記目的地の設定入力を受け付けて前記目的地を設定するステップと、前記目的地を示す目的地情報と、複数のページで構成される電子ブックを記憶する電子ブック情報記憶手段とを参照して、前記電子ブックを構成するページであって前記目的地情報を含むページである代表ページを特定するステップと、前記代表ページの一部または全部を表示するステップとを含むことを特徴とする。
【発明の効果】
【００１６】
本発明によれば、目的地周辺の多種多様な情報を検索負担なくユーザに取得させることができるようになる。
【図面の簡単な説明】
【００１７】
【図１】ナビゲーションシステムの構成例を示すブロック図である。
【図２】ナビゲーション装置の構成例を示すブロック図である。
【図３】電子ブック情報の格納例を示す説明図である。
【図４】評価算出テーブルの格納例を示す説明図である。
【図５】管理サーバの構成例を示すブロック図である。
【図６】代表ページ掲載電子ブック表示処理の例を示すフローチャートである。
【図７】代表ページ特定処理の例を示すフローチャートである。
【図８】目的地情報に関する情報を掲載するページの例を示す説明図である。
【図９】代表ページを表示した表示画面の例を示す画面図である。
【図１０】表示画面の例を示す画面図である。
【発明を実施するための形態】
【００１８】
以下、図面を参照しながら、本発明に係るナビゲーションシステム１０００の例について説明する。
【００１９】
図１は、本発明に係るナビゲーションシステムの構成例を示すブロック図である。図１に示すように、ナビゲーションシステム１０００は、ナビゲーション装置１００と、電子ブック管理サーバ２００（以下、適宜「管理サーバ２００」と呼ぶ場合がある。）とを備える。ナビゲーション装置１００と管理サーバ２００とは、インターネットなどの通信ネットワーク３００により接続されている。
【００２０】
本例では、ナビゲーション装置１００としてユーザが携帯可能なスマートフォンを用いた場合を例にして説明する。
【００２１】
図２は、ナビゲーション装置の構成例を示すブロック図である。図２に示すように、ナビゲーション装置１００は、制御部１１０と、記憶部１２０と、メモリ１３０と、表示部１４０と、センサ部１５０と、通信部１６０と、入力部１７０とを備える。
【００２２】
制御部１１０は、ＣＰＵ（中央処理装置）により構成される。そして、制御部１１０は、記憶部１２０に記憶されたコンピュータプログラム（ナビゲーション装置１００に動作制御させるためのコンピュータプログラム）に従い、ナビゲーション装置１００を構成する各要素を統括制御し各種処理を実行するための各種機能を有する。本例では、制御部１１０は、経路探索機能、経路誘導機能を含む各種の処理を実行するための各種の機能を有する。なお、これらの各種の機能は、一般のナビゲーション装置が備える公知の技術によって実現される。
【００２３】
また、制御部１１０は、一般的な電子ブック装置としての機能（例えば、電子書籍を表示画面に表示する機能や、ページめくり機能など）を発揮するための機能を有し、ナビゲーション装置としての機能と連動することにより、より有効なナビゲーションを行う。なお、制御部１１０の構成については、後で詳しく説明する。
【００２４】
記憶部１２０は、ＲＯＭやＲＡＭなどで構成され、ナビゲーション装置１００が使用する各種コンピュータプログラムや、各種コンピュータプログラムを実行させるための各種情報などを記憶する記憶媒体である。なお、記憶部１２０の構成については、後で詳しく説明する。
【００２５】
メモリ１３０は、制御部１１０が処理する各種情報を一時的に保持する記憶媒体であり、ＲＡＭなどの半導体記憶装置により構成される。
【００２６】
表示部１４０は、各種情報をユーザが認識可能な形で出力する機能を備え、例えば画像情報を表示する表示装置（ディスプレイ装置、モニタ）により構成される。表示部１４０は、地図情報とユーザの現在位置情報とを表示装置の表示画面上に表示するとともに、目的地までの誘導経路を表示画面上に併せて表示することで、ユーザに対して道順を報知する。
【００２７】
センサ部１５０は、ナビゲーション装置１００の現在位置（すなわち、ユーザの現在位置）を測位する機能を備えており、例えば、ＧＰＳ衛星から送られてくるＧＰＳ信号を受信し、このＧＰＳ信号に基づいて位置を測定するＧＰＳセンサや、初期位置から移動量（距離）を計測する速度センサ、進行（移動）方位を計測するジャイロセンサ等からなる。
【００２８】
ＧＰＳセンサは、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の現在位置（ＧＰＳ測位解）を算出する。
【００２９】
また、センサ部１５０は、ＧＰＳ信号を受信するＧＰＳ受信機（アンテナ）の他、受信したＧＰＳ信号のデコード等の処理を行い、制御部１１０に通知する機能を有する。
【００３０】
通信部１６０は、通信ネットワーク３００に無線あるいは有線によって接続し、通信ネットワーク３００に接続された管理サーバ２００などの外部の装置と情報の送受信を行うための機能を有する。
【００３１】
入力部１７０は、制御部１１０に対する各種指示をユーザから受け付ける機能を備える。本例では、入力部１７０は、例えば、表示部１４０の表示画面上に表示される操作ボタンなどによって構成される。
【００３２】
次に、ナビゲーション装置１００における制御部１１０の構成について詳細に説明する。
図２に示すように、制御部１１０は、センサ情報処理部１１１と、通信処理部１１２と、経路探索部１１３と、代表ページ特定部１１４とを含む。
【００３３】
センサ情報処理部１１１は、センサ部１５０により位置情報や速度情報などのセンサ情報の取得や記憶などを行うための処理を実行する機能を有する。
【００３４】
通信処理部１１２は、通信部１６０により各種情報の送受信を行うための処理を実行する機能を有する。
【００３５】
経路探索部１１３は、出発地（例えば、現在位置）から経由地を通って目的地に到達するまでの誘導経路を探索するための経路探索処理を実行する機能を有する。経路探索処理では、例えば、ユーザからの目的地情報および経由地情報の入力を受け付けて、受け付けた目的地情報および経由地情報に基づいて目的地および経由地の位置情報を特定し、この位置情報とセンサ部１５０により測位された現在位置情報に基づき、地図情報を参照して現在位置から目的地までの誘導経路を探索すると共に、この誘導経路を含む道路地図からなる移動経路周辺地図を生成する処理を行う。なお、経路探索処理については公知の技術を用いるので、ここでの詳細な説明は省略する。また、経路探索処理に必要な情報、例えば現在位置の特定や移動経路周辺地図を生成するためなどに用いられる地図情報は、予め記憶部１２０に記憶されている構成としてもよいし、通信部１６０により外部のサーバなどから取得する構成としてもよい。
【００３６】
代表ページ特定部１１４は、目的地を示す情報と、ナビゲーション装置１００が備える記憶部１２０に記憶される電子ブック情報を参照して、電子ブック情報を構成するページであって目的地を示す情報を含むページである代表ページを特定するための代表ページ特定処理を実行する機能を有する。代表ページ特定処理については後で詳しく説明する。
【００３７】
次に、ナビゲーション装置１００における記憶部１２０の構成について詳細に説明する。
図２に示すように、記憶部１２０は、ナビゲーション装置１００を構成する各要素を統括制御するためのコンピュータプログラムを記憶する記憶部に加え、地図情報記憶部１２１と、電子ブック情報記憶部１２２と、評価算出テーブル１２３とを含む。
【００３８】
地図情報記憶部１２１は、所定のグリッド（本例においては、一定の緯度幅と緯度幅で区切られた矩形状の範囲（以下、「メッシュ」という。））に分割して地図情報を記憶する記憶媒体である。なお、地図情報は、外部のサーバなどから取得する構成とされていてもよい。
【００３９】
電子ブック情報記憶部１２２は、電子ブックを構成する各ページを表示するためのページ情報を含む電子ブック情報を記憶する記憶媒体である。
【００４０】
図３は、電子ブック情報の格納例を示す説明図である。図３に示すように、電子ブック情報記憶部１２２に記憶される電子ブック情報は、電子ブックを一意に特定するための「電子ブックＩＤ」や、「ページ番号」や、画像データを含む「ページ情報」や、代表ページを特定するために用いられる「代表ページ特定用データ」や、電子ブックが記憶された日時を示す「日時」や、電子ブックの発行日を示す「発行日」や、電子ブックの著作者を示す「著作者」や、電子ブックの出版元を示す「出版元」や、電子ブックの発行所を示す「発行所」など電子ブックに関する種々の情報を含む。
【００４１】
代表ページ特定用データは、ページの見出しとして記載されている「タイトル」と、タイトルとは別に詳細に記述されている文字列を示す「文字列」と、画像として表示されている施設の施設名称を示す「画像表示施設名」タイトルや文字列や画像それぞれが掲載される位置を示す「掲載座標」と、タイトルや文字列や画像それぞれが掲載される範囲を示す「掲載範囲」と、タイトルや文字列や画像それぞれに掲載される施設と関連する施設の名称を示す「関連施設名称」とを含むように構成される。
【００４２】
評価算出テーブル１２３は、情報の掲載態様と当該掲載態様に応じた評価値とが対応付けされた評価算出テーブルを記憶する記憶媒体である。図４は、評価算出テーブルの格納例を示す説明図である。図４に示すように、評価算出テーブルは、掲載態様と、評価値とを含む。具体的には、掲載態様は、「タイトルに含まれている」や、「見開きの４分の１以上占める」などを含む。なお、本例では、評価を０より大きく３以下の数字で示すように構成しているが、このような構成に限られず、掲載態様を評価できる態様で示すように構成されていればよい。
【００４３】
次いで、管理サーバ２００について詳細に説明する。
図５は、管理サーバの構成例を示すブロック図である。管理サーバ２００は、ナビゲーションシステム１０００のシステム管理者によって管理されるサーバであり、例えばＷＷＷサーバなどの情報処理装置によって構成される。
【００４４】
図５に示すように、管理サーバ２００は、制御部２１０と、記憶部２２０と、メモリ２３０と、通信部２４０とを含む。管理サーバ２００は、自己が備える制御部２２０により各要素を統括制御する。なお、管理サーバ２００は、ナビゲーションシステム１０００において、ナビゲーション装置１００からの要求に応じて電子ブックに関する情報を配信する電子ブック配信管理サーバとしての役割を果たす。
【００４５】
図５に示すように、管理サーバ２００を構成する制御部２１０は、ＷＥＢページ生成部２１１と、通信処理部２１２と、決済部２１３と、代表ページ特定部２１４と、メッセージ生成部２１５とを含む。
【００４６】
ＷＥＢページ生成部２１１は、所定の条件に応じたＷＥＢページを生成するためのＷＥＢページ生成処理を実行する機能を有する。ＷＥＢページ生成部２１１で生成されるＷＥＢページは、電子ブックの代表ページを含む。そして、所定の時間（例えば、２４時間）が経過するとＷＥＢページは、削除される（つまり、閲覧不能になる）ように構成される。なお、ＷＥＢページは、電子ブック購入のためのリンク（ＵＲＬ）を含むように構成されていてもよい。
【００４７】
決済部２１３は、ユーザから電子ブックの購入要求があったことに応じて、ユーザの端末で電子ブックを閲覧可能とするための決済処理を実行する機能を有する。また、ユーザが電子ブックを購入したときや、所定のサービスにより購入状態となったときなどに、ユーザ情報の決済履歴を更新する処理を実行する機能を有する。決済処理は、公知の技術を採用するので、ここでの詳細な説明は省略する。
【００４８】
代表ページ特定部２１４は、目的地を示す情報と、管理サーバ２００が備える記憶部２２０に記憶される電子ブック情報を参照して、電子ブック情報を構成するページであって目的地を示す情報を含むページである代表ページを特定するための代表ページ特定処理を実行する機能を有する。
【００４９】
メッセージ生成部２１５は、代表ページを含む電子ブックについて未だ未購入のユーザに対して、購入を促すメッセージを生成し送信するためのメッセージ送信処理を実行する機能を有する。
【００５０】
図５に示すように、管理サーバ２００を構成する記憶部２２０は、情報処理装置として機能させるための各種コンピュータプログラムを記憶する記憶部に加え、ユーザ情報記憶部２２１と、電子ブック情報記憶部２２２と、評価算出テーブル記憶部２２３とを含む。なお、電子ブック情報記憶部２２２は、ナビゲーション装置１００における電子ブック情報記憶部１２２と同様の構成をしているため、詳細な説明は省略する。同様に、評価算出テーブル記憶部２２３は、ナビゲーション装置１００における評価算出テーブル記憶部１２３と同様の構成をしているため、詳細な説明は省略する。
【００５１】
ユーザ情報記憶部２２１は、決済履歴を含むユーザの情報を示すユーザ情報を格納する記憶媒体である。ユーザ情報記憶部２２１は、ページの閲覧判定処理や決済処理において参照される。また、ユーザ情報は、ユーザが電子ブックを購入したときなどに逐次更新される。
【００５２】
次に、ナビゲーションシステム１０００の動作について図面を参照して説明する。なお、本発明に特に係わらない処理については、その詳細な説明を省略している場合がある。
【００５３】
図６は、ナビゲーションシステム１０００におけるナビゲーション装置１００が実行する代表ページ掲載電子ブック表示処理の例を示すフローチャートである。本例の代表ページ掲載電子ブック表示処理では、ユーザが「東京駅」を目的地として設定した場合を例にして説明する。
【００５４】
代表ページ掲載電子ブック表示処理では、先ず、ナビゲーション装置１００の制御部１１０は、目的地を設定する（ステップＳ１０１）。具体的には、制御部１１０は、ナビゲーション装置１００の表示画面に、目的地設定画面を表示し、ユーザから目的地を「東京駅」とする入力を受け付けて、「東京駅」を目的地として設定する。
【００５５】
目的地を設定すると、制御部１１０は、ナビゲーション処理を開始する（ステップＳ１０２）。すなわち、制御部１１０は、現在位置から目的地までの経路を表示し、経路誘導を実行する。
【００５６】
ナビゲーション処理を開始すると、制御部１１０は、目的地に到着したことを検出する（ステップＳ１０３）。
【００５７】
目的地に到着したことを検出すると、制御部１１０は、代表ページを特定するための代表ページ特定処理を実行する（ステップＳ２００）。
【００５８】
図７は、代表ページ特定処理の例を示すフローチャートである。図７に示すように、代表ページ特定処理では、目的地に関連する情報を掲載するページを特定するための処理が実行される。
【００５９】
代表ページ特定処理において、先ず、制御部１１０は、記憶部１２０に目的地情報に関する情報を掲載する電子ブックが格納されているか否かを判定する（ステップＳ２０１）。すなわち、制御部１１０は、目的地としての施設名称を示す目的地情報と、電子ブック情報記憶部１２２に格納される電子ブック情報を参照して、目的地情報に関する情報を掲載する電子ブック（つまり、目的地情報掲載電子ブック）が存在するか否かを判定する。具体的には、制御部１１０は、施設名称と、電子ブック情報を構成する代表ページ特定用データとを参照して、代表ページ特定用データにおける「タイトル」、「文字列」、「画像表示施設名」、「掲載位置」、および「関連施設名称」において施設名称を含むページを有する電子ブックが存在するか否かを判定する。
【００６０】
存在しないと判定したとき（ステップＳ２０１のＮ）には、制御部１１０は、目的地情報掲載電子ブックの提供要求を管理サーバ２００に対して送信する（ステップＳ２０２）。具体的には、制御部１１０は、目的地情報を提示した目的地情報掲載電子ブックの提供要求を管理サーバ２００に送信する。
【００６１】
目的地情報掲載電子ブックの提供要求をナビゲーション装置１００から受信した管理サーバ２００の制御部２１０は、目的地情報と、電子ブック情報記憶部２２２とを参照して、目的地情報掲載電子ブックを抽出する（ステップＳ２０３）。なおこのとき、制御部２１０は、目的地情報掲載電子ブックを抽出できなかった場合（つまり、目的地情報掲載電子ブックが存在しなかった場合）には、抽出できなかった旨を示すメッセージをナビゲーション装置１００に送信して代表ページ特定処理を終了する。
【００６２】
目的地情報掲載電子ブックを抽出すると、制御部２１０は、評価算出処理を実行する（ステップＳ２０４）。本例の評価算出処理では、目的地情報掲載電子ブックにおける目的地情報に関する情報を掲載するページそれぞれに対して評価を算出する処理が実行される。具体的に言えば、制御部２１０は、目的地情報と、評価算出テーブルを参照して、目的地情報に関する情報を掲載するページそれぞれに対して数値を算出する。なお、ここでの評価算出処理は、ステップＳ２０７でナビゲーション装置１００により実行される処理と同様の処理が実行されるため、ステップＳ２０７の説明にて詳しく説明する。
【００６３】
目的地情報に関する情報を掲載するページそれぞれの評価を算出すると、制御部２１０は、最も評価の高い（数値の大きい）ページを特定する（ステップＳ２０５）。
【００６４】
最も評価の高いページを特定すると、制御部２１０は、特定したページを含むＷＥＢページを代表ページ関連情報として生成し、ナビゲーション装置１００に送信する（ステップＳ２０６）。
【００６５】
管理サーバ２００から送信されたＷＥＢページ（代表ページ関連情報）を受信したナビゲーション装置１００の制御部１１０は、受信したＷＥＢページ（代表ページ関連情報）を表示する代表ページとして特定する（ステップＳ２０８）。そして、ナビゲーションシステム１０００は、代表ページ特定処理を終了し、代表ページ掲載電子ブック表示処理に戻る。
【００６６】
一方で、ステップＳ２０１において目的地情報掲載電子ブックがナビゲーション装置１００に含まれる記憶部１２０に格納されていると判定したとき（ステップＳ２０１のＹ）には、制御部１１０は、評価算出処理を実行する（ステップＳ２０７）。すなわち、制御部１１０は、目的地情報掲載電子ブックにおける目的地情報に関する情報を掲載するページそれぞれに対して評価を算出する。
【００６７】
ここで、評価算出処理の例を、図３に示す電子ブック情報と、図４に示す評価算出テーブルと、図８に示すページ８００とを用いて説明する。図８は、目的地情報に関する情報を掲載するページの例を示す説明図である。図８に示すように、目的地情報に関する情報を掲載するページは、ページ８００と目的地情報に関する情報８０１，８０２，８０３とを含む。なお、ページ８００を用いて説明するが、本例の評価算出処理は、電子ブック情報における代表ページ特定用データと、評価算出テーブルと、目的地情報とを参照して実行されることとなる。
【００６８】
まず、ページ８００はタイトル「東京駅丸の内駅舎」を含むので、「３」という評価値が特定される。さらに、ページ８００はタイトル「東京ステーションホテル」において関連施設名称に「東京駅」を含むので、「０．５」という評価値が特定される。さらに、ページ８００は東京駅に関連する画像が「見開きページの４分の１を占める」ので、「２」という評価値が特定される。そして、ナビゲーション装置１００は、特定したそれぞれの評価値を合計する。すなわち、ページ８００の評価値は、合計で「５．５」となる。このようにして、目的地情報に関する情報を掲載するページそれぞれの評価が算出される。
【００６９】
なお、本例の代表ページ特定処理は、電子ブック情報に含まれる文字列を特定する処理を実行するときに、電子ブック情報に格納されている代表ページ特定用データを参照する構成としているが、画像解析処理により文字列を特定するように構成されていてもよい。すなわち、代表ページを特定する処理を実行するナビゲーション装置１００または管理サーバ２００が、画像解析処理部を備える構成とされていてもよい。
【００７０】
制御部１１０は、評価を算出すると、最も評価の高い（評価値の大きい）ページを代表ページとして特定する（ステップＳ２０８）。そして、ナビゲーションシステム１０００は、代表ページ特定処理を終了し、代表ページ掲載電子ブック表示処理に戻る。
【００７１】
代表ページを特定すると、制御部１１０は、代表ページを表示画面に表示する（ステップＳ１０４）。図９は、代表ページを表示した表示画面の例を示す画面図である。図９に示すように、画面９００は、代表ページ９０１と、代表ページを掲載する電子ブックの代表ページ以外のページを閲覧するための押下げボタン９０２とを含む。なお、本例では、代表ページ全体を表示する構成としているが、このような構成に限られず、ナビゲーションシステム１０００は、代表ページの一部を表示する構成とされていてもよい。さらには、代表ページの一部を表示する場合に、ナビゲーションシステム１０００は、代表ページのうち評価算出処理にて評価値が算出された部分のみを表示するように構成されていてもよい。
【００７２】
代表ページを表示すると、制御部１１０は、代表ページを含む電子ブック（つまり、代表ページ掲載電子ブック）の閲覧要求をユーザから受け付ける（ステップＳ１０５）。すなわち、制御部１１０は、押下げボタン９０２の押下げ入力を受け付ける。なお、押下げボタン９０２の押下入力を受け付けることなく他のボタン（例えば、図９における「戻るボタン」や「終了ボタン」など）の押下入力を受け付けた場合には、制御部１１０は、押下入力されたボタンに対応する処理を実行する。
【００７３】
一方で、代表ページ掲載電子ブックの閲覧要求を受け付けると、制御部１１０は、ユーザの決済履歴の照会要求を管理サーバ２００に送信する（ステップＳ１０６）。すなわち、制御部１１０は、代表ページ掲載電子ブックの閲覧権限を有するユーザであるか否かを判定するために、ユーザ情報と代表ページ掲載電子ブックとを提示した決済履歴の照会要求を送信する。なお、ユーザ情報は、制御部１１０により代表ページ掲載電子ブック表示処理を実行する前にログイン処理を実行することで予め取得されるように構成されていればよい。
【００７４】
照会要求を受信した管理サーバ２００の制御部２１０は、ユーザ情報記憶部２２１を参照して、代表ページ掲載電子ブックが購入済みであるか示す決済履歴情報を特定し、特定した決済履歴情報をナビゲーション装置１００に送信する（ステップＳ１０７）。
【００７５】
決済履歴情報を受信したナビゲーション装置１００における制御部１１０は、受信した決済履歴情報に基づいて閲覧権限を有するユーザであるか否かを判定する（ステップＳ１０８）。なお、本例では管理サーバ２００において購入済みであるか否かを示す情報を特定するように構成されているが、ナビゲーション装置１００に格納される電子ブック情報に対して購入済みであるか否かを特定する情報を含ませておき、管理サーバ２００を介することなく購入済みであるか否かを判定するように構成されていてもよい。
【００７６】
閲覧権限を有するユーザであると判定したとき（ステップＳ１０８のＹ）には、制御部１１０は、代表ページ掲載電子ブックを表示する（ステップＳ１１２）。なお、既に代表ページ掲載電子ブックをダウンロード済み（すなわち、ナビゲーション装置１００の電子ブック情報記憶部１２２に格納済み）の場合には、電子ブック情報記憶部１２２を参照して代表ページ掲載電子ブックを表示する。一方で、ダウンロードしていない（すなわち、ナビゲーション装置１００の電子ブック情報記憶部１２２に格納されていない）場合には、管理サーバ２００に対してダウンロード要求を送信し、管理サーバ２００から代表ページ掲載電子ブックをダウンロードした上で、代表ページ掲載電子ブックを表示する。
【００７７】
一方で、閲覧権限を有さないユーザであると判定したとき（ステップＳ１０８のＮ）には、制御部１１０は、表示画面に閲覧できない旨のメッセージを表示する（ステップＳ１０９）。なお、このとき、制御部１１０は、閲覧できないメッセージとともに代表ページ掲載電子ブックの購入を促すメッセージを表示する構成とされていてもよい。なお、本例では、メッセージの生成をナビゲーション装置１００が実行する構成としているが、管理サーバ２００がメッセージを生成し、閲覧権限を有さない旨の通知とともに生成したメッセージを送信する構成としてもよい。
【００７８】
図１０は、閲覧権限を有していない旨を通知する表示画面の例を示す画面図である。画面９００には、メッセージ９０３と、購入ボタン９０４とを含む。図１０に示すように、「残念ながら、閲覧権限を有していないため、このページを含む電子ブックを表示することができません」というメッセージ９０３が表示され、購入ボタン９０４が表示される。
【００７９】
閲覧できない旨のメッセージを表示すると、制御部１１０は、ユーザから購入要求があるか否かを判定する（ステップＳ１１０）。具体的には、制御部１１０は、画面９００に表示される購入ボタン９０４に対して押下げ入力されたか否かを判定する。押下げ入力されていないと判定したとき（ステップＳ１１０のＮ）には、制御部１１０は、ステップＳ１０５に移行する。
【００８０】
一方で、押下げ入力されたと判定したとき（ステップＳ１１０のＹ）には、制御部１１０および制御部２１０は、代表ページ掲載電子ブックを購入するための決済処理を行う（ステップＳ１１１）。
【００８１】
決済処理を行うと、制御部１１０は、代表ページ掲載電子ブックを閲覧可能に表示する（ステップＳ１１２）。代表ページ掲載電子ブックを閲覧可能に表示すると、制御部１１０は、電子ブックの閲覧を終了する操作を受け付けて、代表ページ掲載電子ブック表示処理を終了する。
【００８２】
以上に説明したように、本実施の形態に係るナビゲーションシステム１０００（または、ナビゲーション装置１００）は、表示画面における地図上に移動体の現在位置を表示して移動体を目的地まで誘導するナビゲーションシステム（ナビゲーション装置）であって、目的地の設定入力を受け付けて目的地（例えば、「東京駅」）を設定し、目的地を示す目的地情報（例えば、施設名称である「東京駅」）と、複数のページで構成される電子ブックを記憶する電子ブック情報記憶手段（例えば、電子ブック情報記憶部１２２または電子ブック情報記憶部２２２）とを参照して、電子ブックを構成するページであって目的地情報を含むページである代表ページ（例えば、代表ページ９０１）を特定し、代表ページの一部または全部を表示する構成としている。このような構成によれば、目的地周辺の多種多様な情報を検索負担なくユーザに取得させることができるようになる。すなわち、ユーザに検索負担をかけることなく電子ブックの１ページとして掲載されている詳細な情報を提供することができるようになる。
【００８３】
特に、詳細な情報の表示のために電子ブックの１ページを用いる構成としているので、既に生成されている電子ブックを有効に利用することができるようになるため、ユーザに有効な情報を提供する際のデータ生成のためのコスト負担を軽減することができるようになる。
【００８４】
さらには、電子ブック自体ではなく電子ブックの１ページを表示する構成としているので、電子ブックの商品価値を落とすことなく、電子ブックに馴染みのないユーザに対して電子ブックを閲覧させるきっかけを提供することができ、電子ブックの利用頻度を向上させることができるようになる。特に、電子ブックにおいてもユーザが必要とする可能性が高い情報を特定し、その特定した情報を代表ページとしているため、効率よく電子ブックを閲覧させるきっかけを提供することができるようになる。
【００８５】
また、上述の実施の形態では、ナビゲーションシステム１０００が、情報の掲載態様と当該掲載態様に応じた評価とが対応付けされた評価算出テーブルを記憶する前記評価算出テーブル記憶手段（例えば、評価算出テーブル記憶部１２３または評価算出テーブル記憶部２２３）を参照して、目的地情報に関する情報を掲載するページの評価を算出し、算出した評価に基づいて代表ページを特定する構成としている。このような構成によれば、ユーザにとって有用性のある情報を的確に特定することができるようになる。
【００８６】
また、上述した実施の形態において、ナビゲーションシステム１０００は、ユーザからの要求に応じて、代表ページを掲載する電子ブックを示す代表ページ掲載電子ブックを表示する構成としている。このような構成によれば、目的地周辺の多種多様な情報を検索負担なくユーザに取得させることができるようになる。
【００８７】
また、上述の実施の形態では、ナビゲーションシステム１０００が、代表ページを含む電子ブックを示す代表ページ掲載電子ブックの閲覧要求を受け付け、代表ページ掲載電子ブックの閲覧権限を有するか否かを判定し、閲覧権限を有すると判定した場合に、代表ページ掲載電子ブックを閲覧可能に表示し、閲覧権限を有さないと判定した場合に、代表ページ掲載電子ブックを閲覧できないように制限する構成としている。このように、代表ページを掲載する電子ブックに対してユーザ個々に閲覧権限（例えば、電子ブックを購入しているか否か、または閲覧許可サービスを受けているか否かなどに基づく閲覧権限）を判定する構成とすることにより、電子ブックの効率的な購買システムを構築することができ、電子ブックの売上向上に寄与することができるようになる。
【００８８】
また、上述の実施の形態では、ナビゲーションシステム１０００が、電子ブック情報記憶手段を含む電子ブック管理サーバ（例えば、管理サーバ２００）に対して目的地情報を提示した代表ページに関する代表ページ関連情報の提供要求を送信し、電子ブック管理サーバにて目的地情報と電子ブック情報記憶手段とを参照して特定された代表ページ関連情報（例えば、ＷＥＢページ）を受信して代表ページを特定する構成としている。
【００８９】
また、上述の実施の形態では特に言及していないが、ナビゲーションシステム１０００が、代表ページを含む見開きページを表示する構成としている。このような構成によれば、電子ブックの特性を活かして、より詳細かつ有用な情報を提供することができるようになる。
【００９０】
なお、上述の実施の形態では特に言及していないが、ナビゲーションシステム１０００は、ナビゲーション処理（例えば、ステップＳ１０１−ステップＳ１０３までの処理）を車載型のナビゲーション装置に実行させ、車載型のナビゲーション装置が目的地に到着したことを携帯情報端末に送信するように構成されていてもよい。すなわち、ナビゲーションシステム１０００は、車載タイプのナビゲーション装置と、電子ブックを表示する携帯情報端末とを備え、ナビゲーション装置が、目的地の設定入力を受け付けて前記目的地を設定し、地図上に移動体の現在位置を表示して前記移動体を目的地まで誘導し、目的地に到着したことを示す目的地到着情報を携帯情報端末に送信し、携帯情報端末が、目的地到着情報を受信し、目的地を示す目的地情報と複数のページで構成される電子ブックを記憶する電子ブック情報記憶手段とを参照して、電子ブックを構成するページであって目的地情報を含むページである代表ページを特定し、代表ページの一部または全部を表示する構成とされていてもよい。なお、このとき、ナビゲーションシステム１０００が電子ブック管理サーバを備え、電子ブック管理サーバが、目的地到着情報を受信し、目的地を示す目的地情報と複数のページで構成される電子ブックを記憶する電子ブック情報記憶手段とを参照して、電子ブックを構成するページであって目的地情報を含むページである代表ページを特定する処理の一部を実行するように構成されていてもよい。また、さらにこのとき、ナビゲーション装置が、目的地到着情報を受信し、目的地を示す目的地情報と複数のページで構成される電子ブックを記憶する電子ブック情報記憶手段とを参照して、電子ブックを構成するページであって目的地情報を含むページである代表ページを特定する処理を実行し、特定した代表ページを携帯情報端末に送信するように構成されていてもよい。
【００９１】
なお、上述の実施の形態では特に言及していないが、ナビゲーションシステム１０００は、評価が同じとなるページが複数存在するときには、ページ番号が小さいページを選択する構成とされていてもよい。
【００９２】
なお、上述の実施の形態では特に言及していないが、ナビゲーションシステム１０００は、閲覧制限を設ける構成とされているが、閲覧制限を設けることなく、代表ページ掲載電子ブックを閲覧可能とする構成とされていてもよい。
【００９３】
なお、上述した実施の形態では特に言及していないが、管理サーバ２００が所定のエリアを特定するためのエリアコードと、エリアコードに対応する施設名称とを含む施設情報を格納する施設情報記憶部を備え、電子ブック情報がページ内に記載される情報と関連するエリアコードを含む構成とすることで、管理サーバ２００が施設名称に対応するエリアコードを参照して目的地情報掲載電子ブックを特定する構成とされていてもよい。また、エリアコードの代わりとして、施設を一意に特定可能な施設ＩＤや施設の所在地を示す緯度経度情報を用いる構成とされていてもよい。
【００９４】
なお、上述した実施の形態では特に言及していないが、管理サーバ２００は、代表ページ関連情報としてＷＥＢページを生成する構成としているが、ＷＥＢページを生成するのではなく、目的地情報を掲載するページをそのまま送信するように構成されていてもよい。
【００９５】
なお本例では、目的地に到着したときに代表ページ特定処理を実行する構成としているが、目的地を設定したときに代表ページ特定処理を実行するように構成されていてもよい。
【産業上の利用可能性】
【００９６】
本発明は、目的地周辺の情報をユーザに取得させるのに有用である。
【符号の説明】
【００９７】
１０００          ナビゲーションシステム
１００            ナビゲーション装置
１１０            制御部
１１１            センサ情報処理部
１１２            通信処理部
１１３            経路探索部
１１４            代表ページ特定部
１２０            記憶部
１２１            地図情報記憶部
１２２            電子ブック情報記憶部
１２３            評価算出テーブル記憶部
１３０            メモリ
１４０            表示部
１５０            センサ部
１６０            通信部
１７０            入力部
２００            電子ブック管理サーバ
２１０            制御部
２１１            ＷＥＢページ生成部
２１２            通信処理部
２１３            決済部
２１４            代表ページ特定部
２１５            メッセージ生成部
２２１            ユーザ情報記憶部
２２２            電子ブック情報記憶部
２２３            評価算出テーブル記憶部
２３０            メモリ
２４０            通信部
３００            通信ネットワーク
【図１】
2015152935.tif 000003
【図２】
2015152935.tif 000004
【図３】
2015152935.tif 000005
【図４】
2015152935.tif 000006
【図５】
2015152935.tif 000007
【図６】
2015152935.tif 000008
【図７】
2015152935.tif 000009
【図８】
2015152935.tif 000010
【図９】
2015152935.tif 000011
【図１０】
2015152935.tif 000012